(57)【要約】【課題】セル内で直接サービスと中継サービスとの間の干渉を排除することができる利点があるマルチホップリレー方式の広帯域無線接続通信システムにける中継サービスを支援するための装置及び方法を提供する。【解決手段】本発明は、サブフレームの第１の区間の間、基地局と端末のリンクのためのサブフレーム、同期チャンネルを提供する第１の中継局と端末のリンクのためのサブフレーム、前記基地局と同期チャンネルを提供しない第２の中継局のリンクのためのサブフレームのうち少なくとも１つを構成する過程と、前記サブフレームの第２の区間の間、前記基地局と第１の中継局のリンクのためのサブフレーム、中継局と中継局のリンクのためのサブフレーム、前記第２の中継局と端末のリンクのためのサブフレームのうち少なくとも１つを構成する過程と、を含む方法を提供する。【選択図】図７
2009533943.tif 000002
【特許請求の範囲】
【請求項１】
サブフレームの第１の区間の間、基地局と端末のリンクのためのサブフレーム、同期チャンネルを提供する第１の中継局と端末のリンクのためのサブフレーム、前記基地局と同期チャンネルを提供しない第２の中継局のリンクのためのサブフレームのうち少なくとも１つを構成する過程と、
前記サブフレームの第２の区間の間、前記基地局と第１の中継局のリンクのためのサブフレーム、中継局と中継局のリンクのためのサブフレーム、前記第２の中継局と端末のリンクのためのサブフレームのうち少なくとも１つを構成する過程と、
を含むことを特徴とする無線通信システムにおける中継サービスを支援するためのサブフレーム構成方法。
【請求項２】
前記サブフレームの第１の区間と第２の区間は、時間分割または周波数分割により分けられることを特徴とする請求項１に記載の方法。
【請求項３】
前記サブフレームの第１の区間と第２の区間は、固定した大きさを有するか、またはチャンネル環境により可変の大きさを有することを特徴とする請求項１に記載の方法。
【請求項４】
ダウンリンクサブフレームの前記第１の区間の前端と前記第２の区間の後端に同期チャンネルを位置させることを特徴とする請求項１に記載の方法。
【請求項５】
アップリンクサブフレームの前記第１の区間の前端と前記第２の区間の後端に接続チャンネル（レインジング）を位置させることを特徴とする請求項１に記載の方法。
【請求項６】
前記第１の区間に含まれるサブフレームは、周波数分割多重接続、空間分割多重接続、直交周波数分割多重接続のいずれか１つを用いて分けられることを特徴とする請求項１に記載の方法。
【請求項７】
前記第１の区間の前記基地局と端末のリンクのためのサブフレームと、前記基地局と第２の中継局のリンクのためのサブフレームと、前記第１の中継局と端末のリンクのためのサブフレームとは、同一の構造で構成されることを特徴とする請求項１に記載の方法。
【請求項８】
前記第２の中継局が前記第１の中継局の下位の中継局の場合、前記第１の区間の間、前記第１の中継局と前記第２の中継局のリンクのためのサブフレームを構成する過程をさらに含むことを特徴とする請求項１に記載の方法。
【請求項９】
前記第２の区間は、前記基地局と第１の中継局のリンクのためのサブフレームと、前記第２の中継局と端末のリンクのためのサブフレームと、少なくとも１つの中継局と中継局のリンクのためのサブフレームのうち少なくとも１つを含むことを特徴とする請求項１に記載の方法。
【請求項１０】
前記中継局と中継局のリンクのためのサブフレームにおいて上位の中継局が下位の中継局に信号を伝送するためのダウンリンクサブフレームは、後端に同期チャンネルを位置させることを特徴とする請求項９に記載の方法。
【請求項１１】
前記第２の区間に含まれる構成するサブフレームは、周波数分割多重接続、空間分割多重接続、直交周波数分割多重接続のいずれか１つを用いて分けられることを特徴とする請求項１に記載の方法。
【請求項１２】
ダウンリンクサブフレームの第１の区間の間、基地局と端末のリンクのためのサブフレームと、中継局と端末のリンクのためのサブフレームとを構成する過程と、
前記ダウンリンクサブフレームの第２の区間の間、奇数のホップ中継局の集合である第１のグループの中継局と、偶数のホップ中継局の集合である第２のグループに含まれる次のホップ中継局のリンクのためのサブフレームを構成する過程と、
前記ダウンリンクサブフレームの第３の区間の間、前記基地局と１ホップ中継局のリンクのためのサブフレームと、前記第２のグループの中継局と前記第１のグループに含まれる次のホップ中継局のリンクのためのサブフレームを構成する過程と、
を含むことを特徴とする無線通信システムにおけるダウンリンクサブフレーム構成方法。
【請求項１３】
前記サブフレームの第１の区間と第２の区間と第３の区間とは、時間により分けられることを特徴とする請求項１２に記載の方法。
【請求項１４】
前記第１の区間の前記基地局と端末のリンクのためのサブフレームと、前記中継局と端末のリンクのためのサブフレームは、前端に同期チャンネルを含むことを特徴とする請求項１２に記載の方法。
【請求項１５】
前記第２の区間の前記第１のグループの中継局と第２のグループに含まれる次のホップ中継局のリンクのためのサブフレームは、後端に同期チャンネルを含むことを特徴とする請求項１２に記載の方法。
【請求項１６】
前記同期チャンネルは、前記第２の区間と第３の区間との間に存在する時間保護領域の前端に位置することを特徴とする請求項１５に記載の方法。
【請求項１７】
前記同期チャンネルは、フレームごとに、または所定のフレームごとに含まれることを特徴とする請求項１５に記載の方法。
【請求項１８】
前記所定のフレームは、既設定された周期または制御信号により決められることを特徴とする請求項１７に記載の方法。
【請求項１９】
前記第３の区間の前記基地局と１ホップ中継局のリンクのためのサブフレームと、前記第２のグループの中継局と第１のグループに含まれる次のホップ中継局のリンクのためのサブフレームは、後端に同期チャンネルを含むことを特徴とする請求項１２に記載の方法。
【請求項２０】
前記同期チャンネルは、フレームごとに、または所定のフレームごとに含まれることを特徴とする請求項１９に記載の方法。
【請求項２１】
前記所定のフレームは、既設定された周期または制御信号により決められることを特徴とする請求項２０に記載の方法。
【請求項２２】
前記第２の区間の間、前記基地局と端末のリンクのためのサブフレームと、前記第１のグループに含まれる終端のホップ中継局と端末のリンクのためのサブフレームとを構成する過程と、
前記第３の区間の間、前記第２のグループに含まれる終端のホップ中継局と端末のリンクのためのサブフレームを構成する過程と、
をさらに含むことを特徴とする請求項１２に記載の方法。
【請求項２３】
ダウンリンクサブフレームの第１の区間の間、基地局と端末のリンクのためのサブフレームと、中継局と端末のリンクのためのサブフレームとを構成する過程と、
前記ダウンリンクサブフレームの第２の区間の間、前記基地局と１ホップ中継局のリンクのためのサブフレームと、偶数のホップ中継局の集合である第２のグループの中継局と、奇数のホップ中継局の集合である第１のグループに含まれる次のホップ中継局のリンクのためのサブフレームとを構成する過程と、
前記ダウンリンクサブフレームの第３の区間の間、前記第１のグループの中継局と第２のグループに含まれる次のホップ中継局のリンクのためのサブフレームを構成する過程と、
を含むことを特徴とする無線通信システムにおけるダウンリンクサブフレーム構成方法。
【請求項２４】
前記サブフレームの第１の区間と第２の区間と第３の区間とは、時間分割により分けられることを特徴とする請求項２３に記載の方法。
【請求項２５】
前記第１の区間の前記基地局と端末のリンクのためのサブフレームと、前記中継局と端末のリンクのためのサブフレームとは、前端に同期チャンネルを含むことを特徴とする請求項２３に記載の方法。
【請求項２６】
前記第２の区間の前記基地局と１ホップ中継局のリンクのためのサブフレームと、前記第２のグループの中継局と第１のグループに含まれる次のホップ中継局のリンクのためのサブフレームとは、後端に同期チャンネルを含むことを特徴とする請求項２３に記載の方法。
【請求項２７】
前記同期チャンネルは、前記第２の区間と第３の区間との間に存在する時間保護領域の前端に位置することを特徴とする請求項２６に記載の方法。
【請求項２８】
前記同期チャンネルは、フレームごとに、または所定のフレームごとに含まれることを特徴とする請求項２６に記載の方法。
【請求項２９】
前記所定のフレームは、既設定された周期または制御信号により決められることを特徴とする請求項２８に記載の方法。
【請求項３０】
前記第３の区間の前記第１のグループ中継局と第２のグループに含まれる次のホップ中継局のリンクのためのサブフレームは、後端に同期チャンネルを含むことを特徴とする請求項２３に記載の方法。
【請求項３１】
前記同期チャンネルは、フレームごとに、または所定のフレームごとに含まれることを特徴とする請求項３０に記載の方法。
【請求項３２】
前記所定のフレームは、既設定された周期または制御信号により決められることを特徴とする請求項３１に記載の方法。
【請求項３３】
前記第２の区間の間、前記第２のグループに含まれる終端のホップ中継局と端末のリンクのためのサブフレームを構成する過程と、
前記第３の区間の間、前記基地局と端末のリンクのためのサブフレームと、前記第１のグループに含まれる終端のホップ中継局と端末のリンクのためのサブフレームとを構成する過程と、をさらに含むことを特徴とする請求項２３に記載の方法。
【請求項３４】
アップリンクサブフレームの第１の区間の間、端末と基地局のリンクのためのサブフレームと端末と中継局のリンクのためのサブフレームとを構成する過程と、
前記アップリンクサブフレームの第２の区間の間、偶数のホップ中継局の集合である第２のグループの中継局と、奇数のホップ中継局の集合である第１のグループに含まれる以前のホップ中継局のリンクのためのサブフレームを構成する過程と、
前記アップリンクサブフレームの第３の区間の間、１ホップ中継局と基地局のリンクのためのサブフレームと、前記第１のグループの中継局と前記第２のグループに含まれる以前のホップ中継局のリンクのためのサブフレームを構成する過程と、
を含むことを特徴とする無線通信システムにおけるアップリンクサブフレーム構成方法。
【請求項３５】
前記サブフレームの第１の区間と第２の区間と第３の区間とは、時間分割により分けられることを特徴とする請求項３４に記載の方法。
【請求項３６】
前記第２の区間の間、端末と基地局のリンクのためのサブフレームと、端末と前記第１のグループに含まれる終端のホップ中継局のリンクのためのサブフレームを構成する過程と、
前記第３の区間の間、端末と前記第２のグループに含まれる終端のホップ中継局のリンクのためのサブフレームを構成する過程と、
をさらに含むことを特徴とする請求項３４に記載の方法。
【請求項３７】
アップリンクサブフレームの第１の区間の間、端末と基地局のリンクのためのサブフレームと、端末と中継局のリンクのためのサブフレームを構成する過程と、
前記アップリンクサブフレームの第２の区間の間、１ホップ中継局と基地局のリンクのためのサブフレームと、奇数のホップ中継局の集合である第１のグループの中継局と偶数のホップ中継局の集合である第２のグループに含まれる以前のホップ中継局のリンクのためのサブフレームを構成する過程と、
前記アップリンクサブフレームの第３の区間の間、前記第２のグループの中継局と前記第１のグループに含まれる以前のホップ中継局のリンクのためのサブフレームを構成する過程と、
を含むことを特徴とする無線通信システムにおけるアップリンクサブフレーム構成方法。
【請求項３８】
前記サブフレームの第１の区間と第２の区間と第３の区間とは、時間分割により分けられることを特徴とする請求項３７に記載の方法。
【請求項３９】
前記第２の区間の間、端末と前記第２のグループに含まれる終端のホップ中継局のリンクのためのサブフレームを構成する過程と、
前記第３の区間の間、端末と基地局のリンクのためのサブフレームと、端末と前記第１のグループに含まれる終端のホップ中継局のリンクのためのサブフレームとを構成する過程と、
をさらに含むことを特徴とする請求項３７に記載の方法。
【請求項４０】
端末または同期チャンネルを提供しない第２の中継局と通信するための第１の区間と、同期チャンネルを提供する第１の中継局と通信するための第２区間とに対する資源を割り当てる過程と、
前記資源を割り当てた後、前記第１の区間を利用して、前記端末または前記第２の中継局との通信を行なう過程と、
前記第２の区間を利用して、前記第１の中継局との通信を行なう過程と、
を含むことを特徴とする無線通信システムにおける基地局の動作方法。
【請求項４１】
前記１区間と第２の区間は、固定した大きさを有するか、またはチャンネル環境により可変の大きさを有することを特徴とする請求項４０に記載の方法。
【請求項４２】
ダウンリンクサブフレームの前記第１の区間の前端と前記第２の区間の後端に同期チャンネルを位置させることを特徴とする請求項４０に記載の方法。
【請求項４３】
ダウンリンクサブフレームの前記第１の区間の前端と前記第２の区間の後端に接続チャンネル（レインジング）を位置させることを特徴とする請求項４０に記載の方法。
【請求項４４】
前記第１の区間と第２の区間は、時間分割または周波数分割により分けられることを特徴とする請求項４０に記載の方法。
【請求項４５】
前記中継局がマルチホップで構成される場合、前記第２の区間を多くの区間に分けて資源を割り当てる過程をさらに含むことを特徴とする請求項４０に記載の方法。
【請求項４６】
上位ノードから受信される制御情報を利用して端末との通信を行うための第１区間と、中継サービスのために前記上位ノードまたは下位の中継局との通信を行なうための第２区間とを設定する過程と、
前記第１の区間を利用して前記端末との通信を行なう過程と、
前記第２の区間を利用して前記上位ノードまたは下位の中継局との通信を行なう過程と、
を含むことを特徴とする無線通信システムにおいて同期チャンネルを提供する中継局の動作方法。
【請求項４７】
前記１の区間と第２の区間は、固定した大きさを有するか、またはチャンネル環境により可変の大きさを有することを特徴とする請求項４６に記載の方法。
【請求項４８】
前記第１の区間と第２の区間は、時間分割または周波数分割により分けられることを特徴とする請求項４６に記載の方法。
【請求項４９】
前記上位ノードは、前記基地局または上位の中継局であることを特徴とする請求項４６に記載の方法。
【請求項５０】
前記第１の区間を利用して、同期チャンネルを提供しない中継局との通信を行なう過程をさらに含むことを特徴とする請求項４６に記載の方法。
【請求項５１】
前記第２の区間を利用して通信を行なう過程は、
前記無線通信システムが少なくとも３つのホップで構成された場合、前記制御情報を利用して前記第２の区間を分割した領域情報を確認する過程と、
前記第２の区間の第１の領域を通じて前記下位の中継局との通信を行なう過程と、
前記第２の区間の第２の領域を通じて前記上位ノードとの通信を行なう過程と、
を含むことを特徴とする請求項４６に記載の方法。
【請求項５２】
前記第１の領域の後端に同期チャンネルを位置させることを特徴とする請求項５１に記載の方法。
【請求項５３】
前記第２の区間を利用して通信を行なう過程は、
前記無線通信システムが少なくとも３つのホップで構成された場合、前記制御情報を利用して前記第２の区間を分割した領域情報を確認する過程と、
前記第２の区間の第１の領域を通じて前記上位ノードとの通信を行なう過程と、
前記第２の区間の第２の領域を通じて前記下位の中継局との通信を行なう過程と、
を含むことを特徴とする請求項４６に記載の方法。
【請求項５４】
前記第２の領域の後端に同期チャンネルを位置させることを特徴とする請求項５３に記載の方法。
【請求項５５】
上位ノードから受信される制御情報を利用して前記上位ノードとの通信を行なうための第１の区間と、端末との通信を行なうための第２の区間とを設定する過程と、
前記第１の区間を利用して前記上位ノードとの通信を行なう過程と、
前記第２の区間を利用して前記端末との通信を行なう過程と、
を含むことを特徴とする無線通信システムにおいて同期チャンネルを提供しない中継局の動作方法。
【請求項５６】
前記１の区間と第２の区間は、固定した大きさを有するか、またはチャンネル環境により可変の大きさを有することを特徴とする請求項５５に記載の方法。
【請求項５７】
前記第１の区間と第２の区間は、時間分割または周波数分割により分けられることを特徴とする請求項５５に記載の方法。
【請求項５８】
前記上位ノードは、基地局または上位の中継局であることを特徴とする請求項５５に記載の方法。
【請求項５９】
端末または同期チャンネルを提供しない第２の中継局との通信を行なうための第１の区間と、同期チャンネルを提供する第１の中継局との通信を行なうための第２の区間とに分けられるサブフレーム構成により信号の送受信タイミング信号を提供するタイミングコントローラと、
前記タイミング信号によって第１の区間の信号または第２の区間の信号を形成して送信する送信機と、
前記タイミング信号によって第１の区間の信号または第２の区間の信号を受信してデータを復元する受信機と、
を含むことを特徴とする無線通信システムにおける基地局装置。
【請求項６０】
前記送信機は、
前記第１の区間の間、前記端末、または前記第２の中継局に伝送するための信号を形成して送信し、
前記第２の区間の間、前記第１の中継局に伝送するための信号を形成して送信することを特徴とする請求項５９に記載の装置。
【請求項６１】
前記送信機は、
前記第１の区間の前端と第２の区間の後端に同期チャンネルを位置させることを特徴とする請求項５９に記載の装置。
【請求項６２】
前記受信機は、
前記第１の区間の間、前記端末、または前記第２の中継局から信号を受信し、
前記第２の区間の間、前記第１の中継局から信号を受信することを特徴とする請求項５９に記載の装置。
【請求項６３】
端末または同期チャンネルを提供しない第２の中継局との通信を行うための第１の区間と、上位ノードとの通信を行うための第２の区間とに分けられるサブフレーム構成により信号の送受信タイミング信号を提供するタイミングコントローラと、
前記タイミング信号によって第１の区間の信号または第２の区間の信号を形成して送信する送信機と、
前記タイミング信号によって第１の区間の信号または第２の区間の信号を受信してデータを復元する受信機と、
を含むことを特徴とする無線通信システムにおいて同期チャンネルを提供する中継局装置。
【請求項６４】
前記送信機は、
ダウンリンクサブフレームの前記第１の区間の間、前記端末、または前記第２の中継局に伝送するための信号を形成して送信し、
アップリンクサブフレームの前記第２の区間の間、前記上位ノードに伝送するための信号を形成して送信することを特徴とする請求項６３に記載の装置。
【請求項６５】
前記受信機は、
アップリンクサブフレームの前記第１の区間の間、前記端末または第２の中継局から信号を受信し、
ダウンリンクサブフレームの前記第２の区間の間、前記上位ノードから信号を受信することを特徴とする請求項６３に記載の装置。
【請求項６６】
前記上位ノードは、基地局または上位の中継局であることを特徴とする請求項６３に記載の装置。
【請求項６７】
上位ノードとの通信を行うための第１の区間と端末と通信するための第２の区間とに分けられるサブフレーム構成により信号の送受信タイミング信号を提供するタイミングコントローラと、
前記タイミング信号によって第１の区間の信号または第２の区間の信号を形成して送信する送信機と、
前記タイミング信号によって第１の区間の信号または第２の区間の信号を受信してデータを復元する受信機と、
を含むことを特徴とする無線通信システムにおいて同期チャンネルを提供しない中継局装置。
【請求項６８】
前記送信機は、
アップリンクサブフレームの前記第１の区間の間、前記上位ノードに伝送するための信号を形成して送信し、
ダウンリンクサブフレームの前記第２の区間の間、前記上位ノードに伝送するための信号を形成して送信することを特徴とする請求項６７に記載の装置。
【請求項６９】
前記受信機は、
ダウンリンクサブフレームの前記第１の区間の間、前記上位ノードから信号を受信し、
アップリンクサブフレームの前記第２の区間の間、前記端末から信号を受信することを特徴とする請求項６７に記載の装置。
【請求項７０】
前記上位ノードは、基地局または上位の中継局であることを特徴とする請求項６７に記載の装置。
【発明の詳細な説明】
【技術分野】
【０００１】
本発明は、マルチホップリレー（Multi-hop  Relay）方式の広帯域無線接続通信システムに関し、さらに詳しくは、前記マルチホップリレー方式の広帯域無線接続通信システムで端末と中継局に同期化された同期チャンネルを提供し、セル内で直接サービスと中継サービスとの間の遠近（Near-Far）干渉を避けるための装置及び方法に関する。
【０００２】
第４世代通信システムにおいて最も重要な要求条件の１つは、自己構成型（self-configurable）の無線ネットワーク構成である。前記自己構成型の無線ネットワークとは、中央システムを制御することなく無線ネットワークを自律的または分散的に構成して移動通信サービスを提供することができる無線ネットワークのことをいう。一般に、前記第４世代通信システムでは、高速通信を可能にし、さらに大量の通話量を可能とするために、半径が非常に小さなセルで構成しなければならない。この場合、前記第４世代通信システムを中央集中的に設計することは不可能であると予想される。そのため、前記第４世代通信システムは、分散的に制御され構築されつつも、新しい基地局の追加のような環境の変化に、能動的に対処しなければならない。そのために、前記第４世代通信システムでは、自己構成型の無線ネットワークが求められている。
【０００３】
前記第４世代通信システムで要求される自己構成型の無線ネットワークを現実的に具現するためには、アドホックネットワーク（ad-hoc  network）で適用されている技術を無線接続通信システムに取り入れなければならない。このような代表的な例が、マルチホップリレー方式の広帯域無線接続通信システムであり、固定基地局で構成された広帯域無線接続網に、アドホックのマルチホップリレー技法を取り入れたものである。
【０００４】
一般の広帯域無線接続通信システムは、固定された基地局（Base  station）と端末（Mobile  station）との間に１つの直接リンク（direct  rink）で通信が行なわれるため、端末と基地局との間に信頼度の高い無線通信リンクを容易に構成することができる。しかし、前記広帯域無線接続通信システムは、前記基地局の位置が固定されているため、無線網の構成の柔軟性が低い。そのため、前記広帯域無線接続通信システムは、トラフィック分布や通話要求量の変化の激しい無線環境において効率の高いサービスを提供することが困難である。
【０００５】
このような不都合を克服するために、前記広帯域無線接続通信システムは、周辺の複数の端末または中継局を利用してマルチホップ形態としてデータを伝達する中継サービスを利用してもよい。前記マルチホップリレー方式を用いる広帯域無線接続通信システムは、通信環境の変化に応じて速やかにネットワークを再構成することができ、全無線網をより高い効率で運用することができるようになる。また、前記広帯域無線接続通信システムは、基地局と端末との間に中継局を設置して前記中継局を通じるマルチホップリレー経路を構成することにより、チャンネル状態がより優れた無線チャンネルを前記端末に提供することができる。すなわち、前記広帯域無線接続通信システムは、基地局からのチャンネル状態が劣悪なセル境界地域において、中継局を通じるマルチホップリレー方式を用いてサービスを提供してより高速のデータチャンネルを提供することができ、セルサービス領域を拡張させることができる。
【０００６】
図１は、一般の広帯域無線接続通信システムにおいてマルチホップリレー方式を用いてサービスを提供する構造を示している。
【０００７】
図１に示されたように、マルチホップリレー方式を用いる広帯域無線接続通信システムに含まれる端末１４０、１５０、１６０、１７０は、基地局１００と中継局１１０、１２０、１３０とを介して広帯域無線接続サービスを提供される。
【０００８】
すなわち、前記基地局１００のセルサービス領域１０１に含まれる端末１４０、１５０は、前記基地局１００と直接端末リンクＬ１を利用して通信を行なう。この場合、前記基地局１００のセル境界領域に位置してチャンネル状態が劣悪な端末２（１５０）は、前記中継局２（１３０）の中継端末リンクＬ２を利用して通信を行なうことにより、直接端末リンクＬ１よりも高速のデータチャンネルを提供されることができる。
【０００９】
また、前記基地局１００のセルサービス領域１０１の外部に位置する端末１６０、１７０は、前記中継局１（１１０）の中継端末リンクＬ３を通じて前記基地局１００との通信を行なう。すなわち、前記基地局１００は、前記中継局１（１１０）を利用してセルサービス領域の外部に位置する端末１６０、１７０に通信リンクを提供してセル領域を拡大することができる。この場合、前記中継局１（１１０）のセル境界領域に位置してチャンネル状態が劣悪な端末４（１７０）は、前記中継局２（１２０）の中継端末リンクＬ４を利用して伝送容量を増大させることができる。
【００１０】
上述のように、前記広帯域無線接続通信システムは、端末が基地局のサービス領域の外郭に位置するか、または建物などによる遮蔽現象の激しい陰影地域に位置してチャンネル状態が劣悪な場合、前記中継局を利用して前記端末にさらに優れた無線チャンネルを提供して前記基地局との通信を行なうようにする。
【００１１】
すなわち、前記基地局は、チャンネル状態が劣悪なセル境界領域及び陰影地域においてマルチホップリレー方式を適用して高速のデータチャンネルを提供することができ、前記セルサービス領域を拡張させることができる。
【００１２】
この場合、前記中継局１１０、１２０、１３０は、運用能力によって、前記中継局１（１１０）のように同期チャンネルを提供する中継局と、前記中継局２（１２０、１３０）のように同期チャンネルを提供しない中継局とに分けられる。
【００１３】
一般の広帯域無線接続通信システムにける、基地局と端末との間の情報の送受信は、直接リンクを通じて図２に示されるような構造のフレームに基づいて行なわれる。ここで、図２は、前記基地局と端末との間における情報の送受信のためのフレーム構造をＩＥＥＥ（Institute  of  Electrical  and  Electronics  Engineers）８０２．１６の標準の時分割複信（Time  Division  Duplex）フレーム構造を例として示している。
【００１４】
図２は、一般のＩＥＥＥ８０２．１６システムのためのフレーム構造を示している。
【００１５】
図２に示されるように、時分割複信フレーム２００は、ダウンリンクサブフレーム２１０とアップリンクサブフレーム２２０とに分けられる。この場合、前記ダウンリンクサブフレーム２１０とアップリンクサブフレーム２２０との間には、時間保護領域（Guard  region）のＴＴＧ（Transmit/Receive  Transition  Gap）が位置し、フレームとフレームとの間には、ＲＴＧ（Receive/Transmit  Transition  Gap）が位置する。
【００１６】
前記ダウンリンクサブフレーム２１０は、プレアンブルと共通制御情報とを固定された位置（Mandatory  slot）に有する。前記基地局のサービス領域に含まれる端末は、前記プレアンブル及び共通制御情報を受信して同期化及び制御情報を得ることができる。
【００１７】
上述のように、前記広帯域無線接続通信システムは、中継局を利用して前記基地局のセル領域の外部に位置するかまたは陰影地域に位置する端末または中継局にサービスを提供する。この場合、前記広帯域無線接続通信システムは、前記端末の互換性（Backward  compatibility）を維持するように、図２に示されるように構成されるフレーム構造を利用して通信を行なう。
【００１８】
すなわち、前記中継局は、初期接続動作の際に端末のように動作して基地局と中継運営に対する交渉を行なった後、前記基地局と同様に図２のフレーム構造を利用して端末に中継サービスを提供することができる。この場合、前記中継局は、前記基地局と同一のフレーム構造を利用して中継サービスを提供するため、１つの周波数帯域内で、１フレームの間、前記基地局との通信と端末との通信を同時に行ないにくくなる。すなわち、図２のフレーム構造を利用して通信を行なう場合、ＲＦ隔離の問題が発生する。そのため、前記広帯域無線接続通信システムは、前記中継局のＲＦ隔離の問題を解決するために、前記中継局の送受信動作が並行されるように図３に示されるようにフレームを構成する。
【００１９】
図３は、従来の技術によるマルチホップリレー方式の広帯域無線接続通信システムのＴＤＤフレーム構造を示している。
【００２０】
図３に示されるように、各サブフレーム３００、３１０は、中継局の動作転換のために第１の領域３０１、３１１と第２領域３０３、３１３とに時間多重化して分けられる。ここで、前記第１の領域３０１、３１１と第２領域３０３、３１３の大きさは、固定されているか、またはセル環境により可変であってもよい。
【００２１】
前記広帯域無線接続通信システムは、前記第１の領域３０１、３１１の間、直接リンクサービスを提供し、前記第２の領域３０３、３１３の間、中継リンクサービスを提供する。よって、前記基地局は、前記第１の領域３０１、３１１を通じて直接リンクで連結された端末に同期チャンネル、制御チャンネル及びトラフィックチャンネルを提供する。また、前記基地局は、前記第２の領域３０３、３１３を通じて前記中継局に同期チャンネル、制御チャンネル及びトラフィックチャンネルを提供する。
【００２２】
前記マルチホップリレー広帯域無線接続通信システムでは、前記中継局の移動性を考慮しなければならない。例えば、前記中継局は、図４に示されるように移動してもよい。
【００２３】
図４は、従来の技術によるマルチホップリレー方式の広帯域無線接続通信システムにおける中継局の移動を示している。
【００２４】
図４に示されるように、前記中継局４２０がバスまたは列車などのような運送手段内に設置される場合、前記中継局４２０は移動性を有する。
【００２５】
この場合、前記広帯域無線接続通信システムは、前記中継局４２０の移動性を考慮して、同期化及びセル探索のための同期チャンネルを提供しなければならない。
【００２６】
しかし、前記広帯域無線接続通信システムにおいて、図３に示されるようなフレーム構造を用いる場合、前記ダウンリンクサブフレーム３００内の第１領域３０１と第２領域３０３の長さが、セル環境に応じて可変であってもよい。この場合、前記第２の領域３０３の前端に位置する同期チャンネルの位置がセル環境により変わるため、前記中継局４２０は、隣接する基地局の同期チャンネルの位置を知るべきなどの多様なオーバーヘッドが存在する。例えば、前記オーバーヘッドは、同期チャンネル電力ブーストによる隣接するセルとの干渉の増加、隣接する基地局の情報伝送、各隣接する基地局ごとの同期チャンネル探索などにより生じる。
【００２７】
また、図１の中継局２（１２０、１３０）のように同期チャンネルを提供しない場合、前記中継局２（１２０、１３０）は、前記基地局と共に、セル内の多重通信で中継サービスを提供する。この場合、前記広帯域無線接続通信システムは、図５に示されるように、端末が前記基地局１００または上位の中継局１１０から提供された信号と前記中継局２（１２０、１３０）から提供された信号との電力差により遠近干渉が生じる。
【００２８】
図５は、従来の技術によるマルチホップリレー方式の広帯域無線接続通信システムにおける中継局で中継サービスを提供する信号の流れを示している。
【００２９】
図５に示されるように、セル領域中でチャンネル環境のよい端末１（５３０）は、前記基地局５００から直接リンクを通じてサービスを提供され、チャンネル環境の悪い端末２（５２０）は、中継局５１０を通じてサービスを提供される。
【００３０】
前記基地局５００と中継局５１０は、同一時間領域内で直交資源を利用して多重通信を行なうが、無線資源（air）上では、前記基地局リンク信号と前記中継局リンク信号が重ね合わされる。この場合、前記端末１（５３０）は、前記基地局５００からの元信号に比べて隣接する中継局５１０からの干渉信号が大きな電力で受信される遠近干渉が生じる恐れがある。また、アップリンクの場合、前記中継局５１０は、前記端末１（５３０）からの干渉信号が前記端末２（５２０）からのアップリンク信号よりも大きな電力で受信される遠近干渉が生じる恐れがある。
【発明の開示】
【発明が解決しようとする課題】
【００３１】
よって、本発明の目的は、マルチホップリレー方式の広帯域無線接続通信システムにおける中継局の移動性によるセル探索及び同期化を高い効率で支援するための装置及び方法を提供することにある。
【００３２】
本発明の別の目的は、マルチホップリレー方式の広帯域無線接続通信システムにおいて同期化された同期チャンネルを提供して中継局の移動性によるセル探索及び同期化を高い効率で支援するための装置及び方法を提供することにある。
【００３３】
本発明のさらに別の目的は、マルチホップリレー方式の広帯域無線接続通信システムにおいてセル内の多重通信による遠近干渉を減少するための装置及び方法を提供することにある。
【００３４】
本発明のさらに別の目的は、マルチホップリレー方式の広帯域無線接続通信システムにおけるセル内の中継通信と直接通信とを時間多重化して前記２つの通信間の遠近干渉を排除するための装置及び方法を提供することにある。
【００３５】
本発明のさらに別の目的は、マルチホップリレー方式の広帯域無線接続通信システムにおいて同期化された同期チャンネルを提供し、遠近干渉を排除するためのフレーム構成方法及びそれを支援する装置を提供することにある。
【課題を解決するための手段】
【００３６】
前記目的を達成するための本発明の第１の態様によると、無線通信システムにおける中継サービスを支援するためのサブフレーム構成方法は、サブフレームの第１の区間の間、基地局と端末のリンクのためのサブフレーム、同期チャンネルを提供する第１の中継局と端末のリンクのためのサブフレーム、前記基地局と同期チャンネルを提供しない第２の中継局のリンクのためのサブフレームのうち少なくとも１つを構成する過程と、前記サブフレームの第２の区間の間、前記基地局と第１の中継局のリンクのためのサブフレーム、中継局と中継局のリンクのためのサブフレーム、前記第２の中継局と端末のリンクのためのサブフレームのうち少なくとも１つを構成する過程と、を含むことを特徴とする。
【００３７】
本発明の第２の態様によると、無線通信システムにおけるダウンリンクサブフレーム構成方法は、ダウンリンクサブフレームの第１の区間の間、基地局と端末のリンクのためのサブフレームと、中継局と端末のリンクのためのサブフレームとを構成する過程と、前記ダウンリンクサブフレームの第２の区間の間、奇数のホップ中継局の集合である第１のグループの中継局と偶数のホップ中継局の集合である第２のグループに含まれる次のホップ中継局のリンクのためのサブフレームを構成する過程と、前記ダウンリンクサブフレームの第３の区間の間、前記基地局と１ホップ中継局のリンクのためのサブフレームと、前記第２のグループの中継局と前記第１のグループに含まれる次のホップ中継局のリンクのためのサブフレームを構成する過程と、を含むことを特徴とする。
【００３８】
本発明の第３の態様によると、無線通信システムにおけるダウンリンクサブフレーム構成方法は、ダウンリンクサブフレームの第１の区間の間、基地局と端末のリンクのためのサブフレームと、中継局と端末のリンクのためのサブフレームとを構成する過程と、前記ダウンリンクサブフレームの第２の区間の間、前記基地局と１ホップ中継局のリンクのためのサブフレームと、偶数のホップ中継局の集合である第２のグループの中継局と奇数のホップ中継局の集合である第１のグループに含まれる次のホップ中継局のリンクのためのサブフレームとを構成する過程と、前記ダウンリンクサブフレームの第３の区間の間、前記第１のグループの中継局と第２のグループに含まれる次のホップ中継局のリンクのためのサブフレームを構成する過程と、を含むことを特徴とする。
【００３９】
本発明の第４の態様によると、無線通信システムにおけるアップリンクサブフレーム構成方法は、アップリンクサブフレームの第１の区間の間、端末と基地局のリンクのためのサブフレームと端末と中継局のリンクのためのサブフレームとを構成する過程と、前記アップリンクサブフレームの第２の区間の間、偶数のホップ中継局の集合である第２のグループの中継局と奇数のホップ中継局の集合である第１のグループに含まれる以前のホップ中継局のリンクのためのサブフレームを構成する過程と、前記アップリンクサブフレームの第３の区間の間、１ホップ中継局と基地局のリンクのためのサブフレームと、前記第１のグループの中継局と前記第２のグループに含まれる以前のホップ中継局のリンクのためのサブフレームを構成する過程と、を含むことを特徴とする。
【００４０】
本発明の第５の態様によると、無線通信システムにおけるアップリンクサブフレーム構成方法は、アップリンクサブフレームの第１の区間の間、端末と基地局のリンクのためのサブフレームと、端末と中継局のリンクのためのサブフレームを構成する過程と、前記アップリンクサブフレームの第２の区間の間、１ホップ中継局と基地局のリンクのためのサブフレームと、奇数のホップ中継局の集合である第１のグループの中継局と偶数のホップ中継局の集合である第２のグループに含まれる以前のホップ中継局のリンクのためのサブフレームを構成する過程と、前記アップリンクサブフレームの第３の区間の間、前記第２のグループの中継局と前記第１のグループに含まれる以前のホップ中継局のリンクのためのサブフレームを構成する過程と、を含むことを特徴とする。
【００４１】
本発明の第６の態様によると、無線通信システムにおける基地局の動作方法は、端末または同期チャンネルを提供しない第２の中継局と通信するための第１の区間と、同期チャンネルを提供する第１の中継局と通信するための第２区間とに対する資源を割り当てる過程と、前記資源を割り当てた後、前記第１の区間を利用して、前記端末または前記第２の中継局との通信を行なう過程と、前記第２の区間を利用して、前記第１の中継局との通信を行なう過程と、を含むことを特徴とする。
【００４２】
本発明の第７の態様によると、無線通信システムにおいて同期チャンネルを提供する中継局の動作方法は、上位ノードから受信される制御情報を利用して端末との通信を行うための第１区間と、中継サービスのために前記上位ノードまたは下位の中継局との通信を行なうための第２区間とを設定する過程と、前記第１の区間を利用して前記端末との通信を行なう過程と、前記第２の区間を利用して前記上位ノードまたは下位の中継局との通信を行なう過程と、を含むことを特徴とする。
【００４３】
本発明の第８の態様によると、無線通信システムにおいて同期チャンネルを提供しない中継局の動作方法は、上位ノードから受信される制御情報を利用して前記上位ノードとの通信を行なうための第１の区間と、端末との通信を行なうための第２の区間とを設定する過程と、前記第１の区間を利用して前記上位ノードとの通信を行なう過程と、前記第２の区間を利用して前記端末との通信を行なう過程と、を含むことを特徴とする。
本発明の第９の態様によると、無線通信システムにおける基地局装置は、端末または同期チャンネルを提供しない第２の中継局との通信を行なうための第１の区間と、同期チャンネルを提供する第１の中継局との通信を行なうための第２の区間とに分けられるサブフレーム構成により信号の送受信タイミング信号を提供するタイミングコントローラと、前記タイミング信号によって第１の区間の信号または第２の区間の信号を形成して送信する送信機と、前記タイミング信号によって第１の区間の信号または第２の区間の信号を受信してデータを復元する受信機と、を含むことを特徴とする。
【００４４】
本発明の第１０の態様によると、無線通信システムにおいて同期チャンネルを提供する中継局装置は、端末または同期チャンネルを提供しない第２の中継局との通信を行うための第１の区間と、上位ノードとの通信を行うための第２の区間とに分けられるサブフレーム構成により信号の送受信タイミング信号を提供するタイミングコントローラと、前記タイミング信号によって第１の区間の信号または第２の区間の信号を形成して送信する送信機と、前記タイミング信号によって第１の区間の信号または第２の区間の信号を受信してデータを復元する受信機と、を含むことを特徴とする。
【発明の効果】
【００４５】
上述のように、マルチホップリレー方式の広帯域無線接続通信システムにおいて端末と中継局に同期化された同期制御チャンネルを提供することにより、前記中継局の移動による同期化及びセル探索を容易に行なうことができ、セル内の中継通信と直接通信とを時間多重化して、前記セル内で中継通信と直接通信との間の遠近干渉を排除することができる利点がある。
【発明を実施するための最良の形態】
【００４６】
以下、本発明の好ましい実施形態を、添付した図面の参照とともに詳細に説明する。そして、本発明を説明するにおいて、関連した公知機能又は構成に対する具体的な説明が本発明の要旨を不明にすると判断される場合には、その詳細な説明を省略する。
【００４７】
以下、本発明は、マルチホップリレー方式の広帯域無線接続通信システムにおける中継局の移動性を支援するために同期化された同期チャンネルを提供し、セル内の多重通信による遠近干渉を排除するための技術について説明する。以下の説明は、時分割複信及び直交周波数分割多重接続（Orthogonal  Frequency  Division  Multiplexing  Access）方式を用いる無線通信システムを例として説明し、他の多重接続方式及び他の分割複信基盤の通信システムにも同様に適用可能である。
【００４８】
また、以下の説明において、中継局１は、セル領域の拡張のために用いられる中継局を意味し、中継局２は、容量増大のために用いられる中継局を意味する。すなわち、前記中継局１は、前記基地局セル領域の外部に位置する端末または中継局に同期及び制御チャンネルとトラフィックチャンネルとを提供し、前記中継局２は、セル領域内に位置し、チャンネル状態のよくない端末にユニキャスト制御及びトラフィックチャンネルのみを提供する。
【００４９】
以下の説明において、前記基地局と中継局との間の通信を行なうためのサブフレーム構造を、ＩＥＥＥ８０２．１６システムのフレーム構造と同一の構成を例に挙げて説明するが、新しい機能及び用途を有する先進技術が適用されてもよい。さらに、上位の中継局と下位の中継局の通信にも同様に適用される。
【００５０】
図６は、本発明の実施形態に係るマルチホップリレー方式の広帯域無線接続通信システムにおいて端末または中継局に同期化された同期チャンネルを提供するためのフレーム構造を示している。
【００５１】
図６に示されるように、前記フレームは、ダウンリンクサブフレーム６１０とアップリンクサブフレーム６２０で構成される。このとき、前記サブフレーム６１０、６２０は、第１領域６１１、６２１と第２領域６１３、６２３に時間多重化して分けられる。
【００５２】
ここで、前記第１の領域６１１、６２１と前記第２の領域６１３、６２３とは、固定された長さを有するか、またはセル環境により可変である。
【００５３】
前記基地局は、前記フレーム６００の前記第１の領域６１１、６２１で直接リンクで連結された端末との通信を行ない、前記第２の領域６１３、６２３で中継局との通信を行なう。このとき、前記第１の領域６１１、６２１と第２領域６１３、６２３の大きさは、セル環境により可変であるので、前記基地局は、前記端末と中継局に同期化された同期チャンネルを提供するために、前記ダウンリンクサブフレーム６１０の第１の領域６１１の前端と前記第２の領域６１３の後端に同期チャンネルを割り当てる。また、前記基地局は、前記端末の接続チャンネルのために前記アップリンクサブフレーム６２０の第１の領域６２１の前端と前記第２の領域６２３の後端に前記接続チャンネルを割り当てる。ここで、前記アップリンクサブフレーム６２０における接続チャンネル（レインジングスロット）は、固定された位置でなく、制御チャンネルを通じて指定されてもよい。
【００５４】
よって、前記基地局は、端末の同期化及びセル探索が容易なように前記端末のための同期チャンネルをプレアンブル形態で提供する。また、前記基地局は、中継局の同期化及びセル探索が容易なように前記中継局のための同期チャンネルをポストアンブル形態で提供する。このように、基地局がダウンリンクサブフレームの前端と後端を同期チャンネルで構成することにより、前記端末または中継局は、固定された位置の同期チャンネルから同期情報及び隣接基地局情報を得ることができる。このとき、前記中継局のための同期チャンネルは、基地局において干渉の測定のために用いられてもよい。
【００５５】
前記マルチホップリレー方式の広帯域無線接続通信システムにおいては、前記基地局、中継局１、中継局２及び端末による多重通信が存在する。
【００５６】
前記基地局と中継局２は、セル領域内の端末にサービスを提供するため、２つのリンク（基地局と端末のリンク、中継局２との端末リンク）との間の干渉を排除するために直交資源を割り当てる。ここで、多数の中継局は、前記中継局２に割り当てられた直交資源を空間多重化形態で再使用することができる。
【００５７】
この場合、前記広帯域無線接続通信システムは、周波数領域で前記基地局と端末のリンク信号と、前記中継局２と端末のリンク信号とを分離することができるが、時間領域においては、前記信号を分離することができず、重ね合った形態で存在する。よって、前記基地局と中継局２が同一の時間領域で端末との通信を行なう場合、遠近干渉が生じるようになる。
【００５８】
前記広帯域無線接続通信システムは、図７に示されるように、前記基地局と端末のリンクと、前記中継局２と端末のリンクとを、同一時間領域で割り当てない。すなわち、前記広帯域無線接続通信システムは、前記中継局２と端末のリンクを図６の第２の領域６１３、６２３の一定の資源に割り当てる。
【００５９】
図７は、本発明の第１の実施形態に係るマルチホップリレー方式の広帯域無線接続通信システムのフレーム構造を示している。
【００６０】
以下の説明は、図６において前記中継局１と中継局２に周波数分割形態で資源を割り当てるためのフレーム構造を示している。
【００６１】
図７に示されるように、前記フレームは、ダウンリンクサブフレーム７２０とアップリンクサブフレーム７３０で構成される。このとき、前記サブフレーム７２０、７３０は、第１領域７２１、７３１と第２領域７２３、７３３とに時間多重化して分けられる。
【００６２】
ここで、前記第１の領域７２１、７３１と第２領域７２３、７３３とは、固定された長さを有するか、またはセル環境により可変である。
【００６３】
前記中継局２は、前記基地局フレーム７００の第１の領域７２１、７３１の間に前記基地局と通信し、第２の領域７２３、７３３内の一定の領域７１１、７１３を割り当てられて端末との通信を行なう。ここで、多数の中継局２が存在する場合、前記第２の領域７２３、７３３を空間分割多重化して資源再使用することを考慮する。
【００６４】
このとき、前記中継局１は、前記第１の領域７２１、７３１の間に前記端末に透過的中継サービスを提供し、前記第２の領域７２３、７３３の間に前記基地局との通信を行なう。
【００６５】
上述のように、空間多重化と時間多重化によりフレームを構成する場合、前記基地局、中継局１、中継局２、および端末は、図８のように動作する。
【００６６】
図８は、本発明の実施形態に係るマルチホップリレー方式の広帯域無線接続通信システムにおけるフレーム構造による信号の送受信タイミングを示している。
【００６７】
図８に示されるように、ダウンリンクサブフレーム７２０において、前記基地局８００は、第１領域７２１の間に直接リンクで連結された中継局２（８２０）、または端末８３０に同期チャンネル、制御チャンネル及びトラフィックバーストを伝送する。その後、前記基地局８００は、第２領域７２３の間に制御チャンネル、トラフィックバースト及び同期チャンネルを中継局１（８１０）に伝送する。このとき、前記基地局８００は、前記端末８３０と中継局８１０、８２０に同期化された前記同期チャンネルを提供するために、前記同期チャンネルを第１の領域７２１の前端と第２の領域７２３の後端に位置させて伝送する。
【００６８】
前記中継局１（８１０）は、前記第１の領域７２１の間に中継リンクで連結された前記中継局２（８２０）または端末８３０に同期チャンネル、制御チャンネル及びトラフィックバーストを伝送する。その後、前記中継局１（８１０）は、前記第２の領域７２３の間に前記基地局８００が伝送する同期チャンネル、制御チャンネル及びトラフィックバーストを受信する。
【００６９】
前記中継局２（８２０）は、前記第１の領域７２１の間に前記基地局８００から前記中継サービスを行なうために必要な制御チャンネル及びトラフィックバーストを受信する。その後、前記中継局２（８２０）は、前記第２の領域７２３の一定の領域７１１の間に前記中継リンクで連結された端末８３０にトラフィックバーストを伝送する。
【００７０】
前記端末８３０は、前記第１の領域７２１の間に前記基地局８００または中継局１（８１０）から同期チャンネル、制御チャンネル及びトラフィックバーストを受信する。その後、前記端末８３０は、前記第２の領域７２３の間に前記中継局１（８１０）または中継局２（８２０）から信号を受信する。このとき、前記端末８３０は、前記第２の領域７２３の一部資源の間に、前記中継局２（８２０）からトラフィックバーストを受信する。
【００７１】
前記広帯域無線接続通信システムにおいて前記遠近干渉を避けるために、図７に示されるように前記第２の領域７２３、７３３において、前記中継局２と端末のリンクのための通信領域と、前記中継局１と基地局のリンクのための通信領域を周波数分割して割り当てる。
【００７２】
他の実施形態として、前記広帯域無線接続通信システムは、図９に示されるように、前記第２の領域７２３、７３３において、前記中継局２と端末のリンクのための通信領域と、前記中継局１と基地局のリンクのための通信領域を時間分割して割り当てることもできる。
【００７３】
図９は、本発明の第２の実施形態に係るマルチホップリレー方式の広帯域無線接続通信システムのフレーム構造を示している。以下の説明は、前記基地局のフレームと中継局２のフレームの構造を示す。
【００７４】
図９に示されるように、前記フレームは、ダウンリンクサブフレーム７２０とアップリンクサブフレーム７３０で構成される。このとき、前記サブフレーム７２０、７３０は、第１領域７２１、７３１と第２領域７２３、７３３とに時間多重化して分けられる。ここで、前記第２の領域７２３、７３３は、前記中継局２と端末の通信領域９００、９２０と、前記中継局１と基地局の通信領域９１０、９３０とに分けられる。このとき、前記基地局は、前記中継局１に、固定された位置の同期チャンネルをポストアンブル形態で提供する。よって、前記第２の領域７２３、７３３において、中継局２と端末との通信領域９００、９２０を前記中継局１と基地局の通信領域９１０、９３０よりも前方に位置させる。
【００７５】
前記基地局７００は、前記第１の領域７２１、７３１の間に前記中継局２または端末との通信を行なう。その後、前記第２の領域７２３、７３３の間に前記中継局１との通信を行なう。ここで、前記基地局７００は、前記第２の領域７２３、７３３における、前記中継局２と端末との通信領域９００、９２０は、セル内の干渉を排除するために用いない。よって、前記基地局７００は、前記中継局１の通信領域９１０、９３０の間に前記中継局１との通信を行なう。
【００７６】
このとき、前記基地局７００は、前記中継局１に同期的な同期チャンネルを提供するために、前記中継局１の通信領域９１０、９３０の後端に同期チャンネルまたは接続チャンネルを割り当てる。
【００７７】
前記中継局２（７１０）は、前記第１の領域７２１、７３１の間に前記基地局７００との通信を行なう。その後、前記中継局２（７１０）は、前記第２の領域７２３、７３３における前記中継局２と端末との通信領域９００、９２０の間に前記端末との通信を行なう。このとき、前記中継局２（７１０）は、セル内の干渉を排除するために前記中継局１の通信領域９１０、９３０を用いない。
【００７８】
上述した実施形態は、２つのホップで構成される広帯域無線接続通信システムを例に挙げて説明した。他の実施形態において、前記広帯域無線接続通信システムは、図１０に示されるようにマルチホップで構成されることができる。
【００７９】
図１０は、本発明によるマルチホップリレー方式の広帯域無線接続通信システムの構成を示している。
【００８０】
図１０に示されるように、前記基地局１（１００１）は、複数の中継局１０１１、１０１３、１０１５、１０１７で構成される中継リンクを利用して前記端末１０１９との通信を行なう。
【００８１】
このとき、前記中継局１０１１、１０１３、１０１５、１０１７は、第１グループと第２のグループとに分けられる。例えば、前記基地局１００１を０ホップのリンク中継局として設定する場合、前記第１のグループは、偶数のホップリンクグループとして前記基地局１００１、２ホップ中継局１０１３、４ホップ中継局１０１７などを含む。この場合、第２のグループは、奇数のホップリンクグループとして１ホップ中継局１０１１、３ホップ中継局１０１５などを含む。
【００８２】
若しも、前記基地局１００１を０ホップのリンク中継局として設定しない場合、前記第１のグループは、奇数のホップリンクグループとして前記１ホップ中継局１０１１、３合中継局１０１５などを含む。また、前記第２のグループは、偶数のホップリンクグループとして前記２ホップの中継局１０１３と前記４ホップの中継局１０１７などを含む。
【００８３】
上述のように、前記広帯域無線接続通信システムがマルチホップリンクを第１のグループと第２のグループで構成する場合、前記広帯域無線接続通信システムは、図１１乃至図１６のように構成されるフレームを利用して通信を行なう。以下の説明は、前記奇数のホップリンク中継局グループが第１のグループであると想定して説明する。また、以下の説明で、サブフレームを構成する第２の領域と第３の領域は、図６の第２の領域を分割して構成してもよい。
【００８４】
先ず、前記広帯域無線接続通信システムは、ダウンリンクサブフレームを図１１または図１３のように構成する。
【００８５】
図１１は、本発明の実施形態に係るマルチホップリレー方式の広帯域無線接続通信システムのダウンリンクサブフレーム構造を示している。
【００８６】
図１１に示されるように、前記ダウンリンクサブフレームは、第１の領域１１０１、第２の領域１１０３、第３の領域１１０５に時間多重化して分けられて構成される。
【００８７】
先ず、基地局のフレーム１１１０は、第１の領域１１０１と第２の領域１１０３とにおいて前記基地局のサービス領域に含まれる端末に伝送するダウンリンクサブフレームを構成する。ここで、前記基地局のサブフレーム１１１０は、前記端末と中継局間の干渉を排除するために、前記第２の領域１１０３の間をナル（null）で構成することもできる。このとき、前記基地局は、前記第１の領域１１０１の前端にプレアンブル形態で前記端末のための同期チャンネルを位置させる。
【００８８】
前記基地局のフレーム１１１０は、前記第３の領域１１０５の間に前記第１のグループに含まれる１ホップ中継局に伝送するダウンリンクサブフレームを構成する。
【００８９】
このとき、前記基地局は、前記第３の領域１１０５の後端にポストアンブル形態で前記１ホップ中継局のための同期チャンネルを位置させる。
【００９０】
次に、第１のグループ中継局のフレーム１１２０は、第１領域１１０１の間に前記第１のグループ中継局のサービス領域に含まれる端末に伝送するダウンリンクサブフレームを構成する。このとき、前記第１のグループ中継局は、前記第１の領域１１０１の前端にプレアンブル形態で前記端末のための同期チャンネルを位置させる。
【００９１】
前記第１のグループ中継局のフレーム１１２０は、前記第２の領域１１０３の間に第２のグループに含まれる次のホップ中継局に伝送するダウンリンクサブフレームを構成する。
【００９２】
このとき、前記第１のグループ中継局は、前記第２の領域１１０３の後端にポストアンブル形態で前記第２のグループに含まれる次のホップ中継局のための同期チャンネルを位置させる。
【００９３】
前記第１のグループ中継局のフレーム１１２０は、前記第３の領域１１０５の間に前記第２のグループに含まれる以前のホップ中継局が伝送するダウンリンクサブフレームを受信する。ここで、前記第１のグループ中継局が１ホップ中継局の場合、前記１ホップ中継局は、前記第３の領域１１０５の間に前記基地局が伝送するダウンリンクサブフレームを受信する。
【００９４】
このとき、前記第２の領域１１０３と第３領域１１０５との間には、前記第１のグループ中継局の動作転換のための時間保護領域であるＴＴＧが存在する。よって、前記第１のグループ中継局は、前記第２のグループ中継局のための同期チャンネルを、前記第２の領域１１０３の前記ＴＴＧ以前の区間資源を利用して前記第２のグループ中継局に伝送する。
【００９５】
次に、前記第２のグループに含まれる中継局のフレーム１１３０は、第１領域１１０１の間に前記第２のグループ中継局のサービス領域に含まれる端末に伝送するダウンリンクサブフレームを構成する。このとき、前記第２のグループ中継局は、前記第１の領域１１０１の前端にプレアンブル形態で前記端末のための同期チャンネルを位置させる。
【００９６】
前記第２のグループ中継局のフレーム１１３０は、前記第２の領域１１０３の間に第１のグループに含まれる以前のホップ中継局が伝送するダウンリンクサブフレームを受信する。
【００９７】
前記第２のグループ中継局のフレーム１１３０は、前記第３の領域１１０５の間に前記第１のグループに含まれる次のホップ中継局に伝送するダウンリンクサブフレームを構成する。
【００９８】
ここで、前記第２のグループ中継局は、前記第３の領域１１０５の後端にポストアンブル形態で前記第１のグループに含まれる次のホップ中継局のための同期チャンネルを位置させる。
【００９９】
このとき、前記第２のグループ中継局のフレーム１１３０の第１領域１１０１と第２領域１１０３との間には、前記中継局の動作転換のための時間保護領域であるＴＴＧが存在する。また、前記第２のグループ中継局のフレーム１１３０の第２の領域１１０３と第３領域１１０５との間には、前記中継局の動作転換のための時間保護領域であるＲＴＧが存在する。
【０１００】
図示していないが、前記第１のグループに含まれる中継局が終端のホップ中継局の場合、前記第１の領域１１０１と第２領域１１０３とにおいて前記中継局のサービス領域に含まれる端末に伝送するダウンリンクサブフレームを構成する。ここで、前記終端のホップ中継局は、前記端末と中継局との間の干渉を排除するために前記第２の領域１１０３をナルで構成することもできる。
【０１０１】
前記終端のホップ中継局は、前記第３の領域１１０５の間に前記第２のグループに含まれる以前のホップ中継局からダウンリンクサブフレームを受信する。
【０１０２】
若しも、前記終端のホップ中継局が前記第２のグループに含まれる場合、前記第１の領域１１０１と第３領域１１０５とにおいて前記中継局のサービス領域に含まれる端末に伝送するダウンリンクサブフレームを構成する。ここで、前記終端のホップ中継局は、前記端末と中継局との間の干渉を排除するために前記第３の領域１１０５をナルで構成することができる。
【０１０３】
前記終端のホップ中継局は、前記第２の領域１１０３の間に前記第１のグループに含まれる以前のホップ中継局からダウンリンクサブフレームを受信する。
【０１０４】
前記広帯域無線接続通信システムにおいて、図１１に示されるようにフレームを構成する場合、各領域のサブフレームは、図１２に示されるようにＩＥＥＥ８０２．１６標準で定義されたフレームと同様に構成されてもよい。
【０１０５】
図１２は、本発明の実施形態に係るマルチホップリレー方式の広帯域無線接続通信システムのダウンリンクサブフレームの同期チャンネルを示している。
【０１０６】
図１２に示されるように、前記ダウンリンクサブフレーム１２００は、第１領域１２０１、第２の領域１２０３、および第３の領域１２０５に時間多重化して分けられて構成される。
【０１０７】
このとき、基地局のフレーム１２１０は、第１領域１２０１をサービス領域に含まれる端末のための同期チャンネル、制御チャンネルおよびダウンリンクバーストで構成する。すなわち、前記基地局は、前記第１の領域１２０１の前端にプレアンブル形態で前記端末のための同期チャンネルを位置させる。
【０１０８】
若しも、前記基地局が第２の領域１２０３を使用する場合、前記基地局のフレーム１２１０は、第２領域１２０３をダウンリンクバーストで構成する。
【０１０９】
前記基地局のフレーム１２１０は、第３領域１２０５を制御チャンネル、ダウンリンクバースト、および前記１ホップ中継局のための同期チャンネルで構成する。すなわち、前記基地局は、前記第３の領域１２０５の後端にポストアンブル形態で前記１ホップ中継局のための同期チャンネルを位置させる。
【０１１０】
次に、前記第１のグループ中継局のフレーム１２２０は、第１領域１２０１を、サービス領域に含まれる端末のための同期チャンネル、制御チャンネルおよびダウンリンクバーストで構成する。すなわち、前記第１のグループ中継局は、前記第１の領域１２０１の前端にプレアンブル形態で前記端末のための同期チャンネルを位置させる。
【０１１１】
前記第１のグループ中継局のフレーム１２２０は、第２領域１２０３を、制御チャンネル、ダウンリンクバースト、および前記第２のグループに含まれる次のホップ中継局のための同期チャンネルで構成する。すなわち、前記第１のグループ中継局は、前記第２の領域１２０３の後端にポストアンブル形態で前記第２のグループに含まれる次のホップ中継局のための同期チャンネルを位置させる。
【０１１２】
このとき、前記第１のグループ中継局は、第３の領域１２０５の間に以前のホップ中継局または基地局からダウンリンクサブフレームを受信する。
【０１１３】
次に、前記第２のグループ中継局のフレーム１２３０は、第１領域１２０１を、サービス領域に含まれる端末のための同期チャンネル、制御チャンネルおよびダウンリンクバーストで構成する。すなわち、前記第２のグループ中継局は、前記第１の領域１２０１の前端にプレアンブル形態で前記端末のための同期チャンネルを位置させる。
【０１１４】
前記第２のグループ中継局のフレーム１２３０は、第３領域１２０５を、制御チャンネル、ダウンリンクバースト、および前記第１のグループに含まれる次のホップ中継局のための同期チャンネルで構成する。すなわち、前記第２のグループ中継局は、前記第３の領域１２０５の後端にポストアンブル形態で前記第１のグループに含まれる次のホップ中継局のための同期チャンネルを位置させる。
【０１１５】
このとき、前記第２のグループ中継局は、第２の領域１２０３の間に以前のホップ中継局からダウンリンクサブフレームを受信する。
【０１１６】
図１３は、本発明の他の実施形態に係るマルチホップリレー方式の広帯域無線接続通信システムのダウンリンクサブフレーム構造を示している。
【０１１７】
図１３に示されるように、前記ダウンリンクサブフレームは、第１の領域１３０１、第２の領域１３０３、第３の領域１３０５時間多重化して分けられて構成される。
【０１１８】
先ず、基地局のフレーム１３１０は、第１領域１３０１と第３領域１３０５において前記基地局のサービス領域に含まれる端末に伝送するダウンリンクサブフレームを構成する。ここで、前記基地局は、前記端末と中継局の干渉を排除するために前記第３の領域１３０５をナルで構成することもできる。このとき、前記基地局は、前記第１の領域１３０１の前端にプレアンブル形態で同期チャンネルを位置させる。
【０１１９】
前記基地局のフレーム１３１０は、前記第２の領域１３０３の間に前記第１のグループに含まれる１ホップ中継局に伝送するダウンリンクサブフレームを構成する。ここで、前記基地局は、前記第２の領域１３０３の後端にポストアンブル形態で前記１ホップ中継局のための同期チャンネルを位置させる。
【０１２０】
このとき、前記第１のグループ中継局のフレーム１３２０の第２の領域１３０３と第３領域１３０５との間には、時間保護領域であるＲＴＧが存在するので、前記基地局は、前記１ホップ中継局のための同期チャンネルを前記第２の領域１３０３の前記ＲＴＧ以前の区間の間、前記１ホップ中継局に伝送する。
【０１２１】
次に、第１のグループに含まれる中継局のフレーム１３２０は、第１領域１３０１の間に前記第１のグループ中継局のサービス領域に含まれる端末に伝送するダウンリンクサブフレームを構成する。このとき、前記第１のグループ中継局は、前記第１の領域１３０１の前端にプレアンブル形態で前記端末のための同期チャンネルを位置させる。
【０１２２】
前記第１のグループ中継局のフレーム１３２０は、前記第２の領域１３０３の間に前記第２のグループに含まれる以前のホップ中継局が伝送するダウンリンクサブフレームを受信する。若しも、前記第１のグループ中継局が１ホップ中継局の場合、前記１ホップ中継局は、前記第２の領域１３０３の間に前記基地局が伝送するダウンリンクサブフレームを受信する。
【０１２３】
前記第１のグループ中継局のフレーム１３２０は、前記第３の領域１３０５の間に第２のグループに含まれる次のホップ中継局に伝送するダウンリンクサブフレームを構成する。
【０１２４】
ここで、前記第１のグループ中継局は、前記第３の領域１３０５の後端にポストアンブル形態で前記第２のグループに含まれる次のホップ中継局のための同期チャンネルを位置させる。
【０１２５】
このとき、前記第１のグループ中継局のフレーム１３２０の第１領域１３０１と第２領域１３０３との間には、前記中継局の動作転換のための時間保護領域であるＴＴＧが存在する。また、前記第１のグループ中継局のフレーム１３２０の第２領域１３０３と第３領域１３０５との間には、前記中継局の動作転換のための時間保護領域であるＲＴＧが存在する。
【０１２６】
次に、前記第２のグループ中継局のフレーム１３３０は、第１領域１３０１の間にサービス領域に含まれる端末に伝送するダウンリンクサブフレームを構成する。このとき、前記第２のグループ中継局は、前記第１の領域１３０１の前端にプレアンブル形態で前記端末のための同期チャンネルを位置させる。
【０１２７】
前記第２のグループ中継局のフレーム１３３０は、前記第２の領域１３０３の間に前記第１のグループに含まれる次のホップ中継局に伝送するダウンリンクサブフレームを構成する。
【０１２８】
このとき、前記第２のグループ中継局は、前記第２の領域１３０３の後端にポストアンブル形態で前記第１のグループに含まれる次のホップ中継局のための同期チャンネルを位置させる。
【０１２９】
前記第２のグループ中継局のフレーム１３３０は、前記第３の領域１３０５の間に第１のグループに含まれる以前のホップ中継局が伝送するダウンリンクサブフレームを受信する。
【０１３０】
図示していないが、終端のホップ中継局が前記第１のグループに含まれる場合、前記終端のホップ中継局は、第１の領域１３０１と第３領域１３０５とにおいて前記中継局のサービス領域に含まれる端末に伝送するダウンリンクサブフレームを構成する。ここで、前記終端のホップ中継局は、前記端末と中継局との間の干渉を排除するために前記第３の領域１３０５をナルで構成してもよい。
【０１３１】
前記終端のホップ中継局は、第２の領域１３０３の間に第２のグループに含まれる以前のホップ中継局からダウンリンクサブフレームを受信する。
【０１３２】
若しも、前記終端のホップ中継局が前記第２のグループに含まれる場合、第１の領域１３０１と第２領域１３０３とにおいてサービス領域に含まれる端末に伝送するダウンリンクサブフレームを構成する。ここで、前記終端のホップ中継局は、前記端末と中継局との間の干渉を排除するために前記第２の領域１３０３をナルで構成することもできる。
【０１３３】
前記終端のホップ中継局は、第３の領域１３０５の間に、第１のグループに含まれる以前のホップ中継局からダウンリンクサブフレームを受信する。
【０１３４】
前記広帯域無線接続通信システムにおいて、図１３に示されるようにフレームを構成する場合、各領域のサブフレームは、図１４に示されるようにＩＥＥＥ８０２．１６標準で定義されたフレームと同様に構成されてもよい。
【０１３５】
図１４は、本発明の他の実施形態に係るマルチホップリレー方式の広帯域無線接続通信システムのダウンリンクサブフレームの同期チャンネルを示している。
【０１３６】
図１４に示されるように、前記ダウンリンクサブフレーム１４００は、第１領域１４０１、第２の領域１４０３、第３の領域１４０５に時間多重化して分けられて構成する。
【０１３７】
このとき、基地局のフレーム１４１０は、第１領域１４０１をサービス領域に含まれる端末のための同期チャンネル、制御チャンネルおよびダウンリンクバーストで構成する。すなわち、前記基地局は、前記第１の領域１４０１の前端にプレアンブル形態で前記端末のための同期チャンネルを位置させる。
【０１３８】
若しも、前記基地局が第３の領域１４０５を使用する場合、前記基地局のフレーム１４１０は、前記第３の領域１４０５をダウンリンクバーストで構成する。
【０１３９】
前記基地局のフレーム１４１０は、第２領域１４０３を制御チャンネル、ダウンリンクバースト、および前記１ホップ中継局のための同期チャンネルで構成する。このとき、前記基地局は、前記第２の領域１４０３の後端にポストアンブル形態で前記１ホップ中継局のための同期チャンネルを位置させる。
【０１４０】
次に、前記第１のグループ中継局のフレーム１４２０は、第１領域１４０１をサービス領域に含まれる端末のための同期チャンネル、制御チャンネルおよびダウンリンクバーストで構成する。すなわち、前記第１のグループ中継局は、前記第１の領域１４０１の前端にプレアンブル形態で前記端末のための同期チャンネルを位置させる。
【０１４１】
前記第１のグループ中継局のフレーム１４２０は、第３領域１４０５を制御チャンネル、ダウンリンクバースト、および前記第２のグループに含まれる次のホップ中継局のための同期チャンネルで構成する。すなわち、前記第１のグループ中継局は、前記第３の領域１４０５の後端にポストアンブル形態で前記第２のグループに含まれる次のホップ中継局のための同期チャンネルを位置させる。
【０１４２】
このとき、前記第１のグループ中継局は、第２の領域１４０３の間に、以前のホップ中継局または基地局からダウンリンクサブフレームを受信する。
【０１４３】
次に、前記第２のグループ中継局のフレーム１４３０は、第１領域１４０１をサービス領域に含まれる端末のための同期チャンネル、制御チャンネルおよびダウンリンクバーストで構成する。すなわち、前記第２のグループ中継局は、前記第１の領域１４０１の前端にプレアンブル形態で前記端末のための同期チャンネルを位置させる。
【０１４４】
前記第２のグループ中継局のフレーム１４３０は、第２領域１４０３を制御チャンネル、ダウンリンクバースト、および前記第１のグループに含まれる次のホップ中継局のための同期チャンネルで構成する。すなわち、前記第２のグループ中継局は、前記第２の領域１４０３の後端にポストアンブル形態で前記第１のグループに含まれる次のホップ中継局のための同期チャンネルを位置させる。
【０１４５】
このとき、前記第２のグループ中継局は、第３の領域１４０５の間に、以前のホップ中継局からダウンリンクサブフレームを受信する。
【０１４６】
次に、前記広帯域無線接続通信システムにおいて、アップリンクサブフレームは、図１５または図１６のように構成する。
【０１４７】
図１５は、本発明の実施形態に係るマルチホップリレー方式の広帯域無線接続通信システムのアップリンクサブフレーム構造を示している。
【０１４８】
図１５に示されるように、前記アップリンクサブフレームは、第１の領域１５０１、第２の領域１５０３、第３の領域１５０５に時間多重化して分けられる。
【０１４９】
先ず、基地局のフレーム１５１０は、第１領域１５０１と第２領域１５０３とにおいてサービス領域に含まれる端末が伝送するアップリンクサブフレームを受信する。ここで、前記基地局は、前記端末と中継局の間の干渉を排除するために前記第２の領域１５０３をナルで構成することもできる。
【０１５０】
その後、前記基地局のフレーム１５１０は、前記第３の領域１５０５の間に前記第１のグループに含まれる１ホップ中継局からアップリンクサブフレームを受信する。
【０１５１】
次に、第１のグループ中継局のフレーム１５２０は、第１領域１５０１の間にサービス領域に含まれる端末からアップリンクサブフレームを受信する。
【０１５２】
前記第１のグループ中継局のフレーム１５２０、１５４０は、前記第２の領域１５０３の間に第２のグループに含まれる次のホップ中継局からアップリンクサブフレームを受信する。例えば、前記第１のグループに含まれる中継局１５２０は、前記第２の合中継局１５３０からアップリンクサブフレームを受信する。さらに、第１のグループに含まれる３ホップ中継局１５４０は、前記第２のグループに含まれる４ホップ中継局からアップリンクサブフレームを受信する。
【０１５３】
前記第１のグループ中継局のフレーム１５２０、１５４０は、前記第３の領域１５０５の間に前記第２のグループに含まれる以前のホップ中継局に伝送するアップリンクサブフレームを構成する。若しも、前記第１のグループ中継局が１ホップ中継局の場合、前記１ホップ中継局は、前記第３の領域１５０５の間に前記基地局に伝送するアップリンクサブフレームを構成する。
【０１５４】
このとき、前記第１のグループ中継局のサブフレーム１５２０の第２の領域１５０３と第３領域１５０５との間に、前記中継局の動作転換のための時間保護領域であるＲＴＧが存在する。
【０１５５】
次に、前記第２のグループ中継局のフレーム１５３０は、第１領域１５０１の間にサービス領域に含まれる端末からアップリンクサブフレームを受信する。
【０１５６】
前記第２のグループ中継局のフレーム１５３０は、前記第２の領域１５０３の間に第１のグループに含まれる以前のホップ中継局に伝送するアップリンクサブフレームを構成する。
【０１５７】
前記第２のグループ中継局のフレーム１５３０は、前記第３の領域１５０５の間に前記第１のグループに含まれる次のホップ中継局が伝送するアップリンクサブフレームを受信する。
【０１５８】
このとき、前記第２のグループ中継局のフレーム１５３０の第１領域１５０１と第２領域１５０３との間には、前記第２の中継局の動作転換のための時間保護領域であるＲＴＧが存在する。また、前記第２のグループ中継局のフレーム１５３０の第２の領域１５０３と第３領域１５０５との間には、前記中継局の動作転換のための時間保護領域であるＴＴＧが存在する。
【０１５９】
図示していないが、前記終端のホップ中継局が前記第１のグループに含まれる場合、前記中継局は、第１の領域１５０１と第２領域１５０３とにおいてサービス領域に含まれる端末が伝送するアップリンクサブフレームを受信する。ここで、前記中継局は、前記端末と中継局の間の干渉を排除するために前記第２の領域１５０３をナルで構成することもできる。
【０１６０】
また、前記中継局は、前記第３の領域１５０５の間に第２のグループに含まれる以前のホップ中継局に伝送するアップリンクサブフレームを構成する。
【０１６１】
若しも、前記終端のホップ中継局が第２のグループに含まれる場合、前記中継局は、第１の領域１５０１と第３領域１５０５とにおいてサービス領域に含まれる端末が伝送するアップリンクサブフレームを受信する。ここで、前記中継局は、前記端末と中継局間の干渉を排除するために前記第３の領域１５０５をナルで構成することもできる。
【０１６２】
また、前記中継局は、前記第２の領域１５０３の間に第１のグループに含まれる以前のホップ中継局に伝送するアップリンクサブフレームを構成する。
【０１６３】
図１６は、本発明の他の実施形態に係るマルチホップリレー方式の広帯域無線接続通信システムのアップリンクサブフレームの同期チャンネルを示している。
【０１６４】
図１６に示されるように、前記ダウンリンクサブフレームは、第１の領域１６０１、第２の領域１６０３、第３の領域１６０５に時間多重化して分けられる。
【０１６５】
先ず、基地局のフレーム１６１０は、第１領域１６０１と第３領域１６０５とにおいて、前記基地局のサービス領域に含まれる端末からアップリンクサブフレームを受信する。ここで、前記基地局は、前記端末と中継局の間の干渉を排除するために前記第３の領域１６０５をナルで構成することもできる。
【０１６６】
前記基地局のフレーム１６１０は、前記第２の領域１６０３の間に前記第１のグループに含まれる１ホップ中継局からアップリンクサブフレームを受信する。
【０１６７】
次に、第１のグループ中継局のフレーム１６２０、１６４０は、第１領域１６０１の間にサービス領域に含まれる端末からアップリンクサブフレームを受信する。
【０１６８】
前記第１のグループ中継局のフレーム１６２０、１６４０は、前記第２の領域１６０３の間に前記第２のグループに含まれる以前のホップ中継局に伝送するアップリンクサブフレームを構成する。若しも、前記第１のグループ中継局が１ホップ中継局の場合、前記中継局は、第２の領域１６０３の間に前記基地局に伝送するアップリンクサブフレームを構成する。
【０１６９】
前記第１のグループ中継局のフレーム１６２０は、前記第３の領域１６０５の間に第２のグループに含まれる次のホップ中継局からアップリンクサブフレームを受信する。
【０１７０】
このとき、前記第１のグループ中継局のフレーム１６２０の第１の領域１６０１と第２領域１６０３との間には、前記中継局の動作転換のための時間保護領域であるＲＴＧが存在する。また、前記第１のグループ中継局のフレーム１６２０の第２の領域１６０３と第３領域１６０５との間には、前記中継局の動作転換のための時間保護領域であるＴＴＧが存在する。
【０１７１】
次に、前記第２のグループ中継局のフレーム１６３０は、第１領域１６０１の間にサービス領域に含まれる端末からアップリンクサブフレームを受信する。
【０１７２】
前記第２のグループ中継局のフレーム１６３０は、前記第２の領域１６０３の間に前記第１のグループに含まれる次のホップ中継局からアップリンクサブフレームを受信する。
【０１７３】
前記第２のグループ中継局のフレーム１６３０は、前記第３の領域１６０５の間に第１のグループに含まれる以前のホップ中継局に伝送するアップリンクサブフレームを構成する。
【０１７４】
図示していないが、終端のホップ中継局が第１のグループに含まれる場合、前記中継局は、第１の領域１６０１と第３領域１６０５とにおいて、サービス領域に含まれる端末が伝送するアップリンクサブフレームを受信する。ここで、前記中継局は、前記端末と中継局間の干渉を排除するために前記第３の領域１６０５をナルで構成することもできる。
【０１７５】
前記中継局は、第２の領域１６０３の間に第２のグループに含まれる以前のホップ中継局に伝送するアップリンクサブフレームを構成する。
【０１７６】
若しも、前記終端のホップ中継局が第２のグループに含まれる場合、前記中継局は、第１の領域１６０１と第２領域１６０３の間にサービス領域に含まれる端末が伝送するアップリンクサブフレームを受信する。ここで、前記中継局は、前記端末と中継局間の干渉を排除するために前記第２の領域１６０３をナルで構成することもできる。
【０１７７】
また、前記中継局は、第３の領域１６０５の間に第１のグループに含まれる以前のホップ中継局に伝送するアップリンクサブフレームを構成する。
【０１７８】
ここで、前記広帯域無線接続通信システムは、図１１に示されたダウンリンクサブフレームと、図１５または図１６に示されたアップリンクサブフレームとを結合して１つのフレームを構成してもよい。また、前記広帯域無線接続通信システムは、図１３に示されたダウンリンクサブフレームと、図１５または図１６に示されたアップリンクサブフレームとを結合して１つのフレームを構成してもよい。
【０１７９】
上述のように、前記広帯域無線接続通信システムの基地局は、フレーム構成方式によって端末と１ホップ中継局のための同期チャンネルを伝送する。また、前記第１のグループ中継局は、前記フレーム構成方式によって端末と前記第２のグループに含まれる次のホップ中継局のための同期チャンネルを伝送する。前記第２のグループ中継局も、前記フレーム構成方式によって端末と前記第１のグループに含まれる次のホップ中継局に同期チャンネルを伝送する。
【０１８０】
このとき、前記広帯域無線接続通信システムの前記基地局、第１のグループ中継局、第２のグループ中継局は、同期チャンネルをフレームごとに伝送するか、または予め決められた周期ごとに一定のフレーム間隔で伝送する。また、前記基地局、第１のグループ中継局、第２のグループ中継局は、前記同期チャンネルを制御信号によって決めるフレームを利用して前記同期チャンネルを含ませて伝送することができる。ここで、前記制御信号は、ＦＣＨ（Frame  Control  Header）、ＭＡＰ、ＤＣＤ（Downlink  Channel  Descriptor）を含む。
【０１８１】
以下の説明は、前記広帯域無線接続通信システムにおいて、上述のように構成されるフレーム構造を利用して通信を行なうための基地局、中継局１、中継局２及び端末の動作手順について説明する。
【０１８２】
図１７は、本発明の実施形態に係るマルチホップリレー方式の広帯域無線接続通信システムにおける基地局の動作手順を示している。
【０１８３】
図１７を参照すると、先ず、前記基地局は、ステップ１７０１でチャンネル環境によって通信を行なうためにサブフレームを分割するための各領域の区間を決める。すなわち、前記基地局は、前記サブフレームを直接リンクのための領域と中継リンクのための領域に分ける。例えば、前記広帯域無線接続通信システムが２つのホップで構成される場合、前記基地局は、直接リンクのための第１の領域と中継リンクのための第２の領域に分ける。若しも、前記広帯域無線接続通信システムが３つのホップで構成される場合、前記基地局は、直接リンクのための第１の領域と中継リンクのための第２の領域と第３の領域とに分ける。
【０１８４】
前記各フレームの領域に対する区間を分けた後、前記基地局は、ステップ１７０３に進んで前記直接リンクのための領域の間に、サービス領域に含まれる端末との通信を行なう。このとき、前記基地局は、前記直接リンクのための領域の間に、中継局２との通信を行なう。ここで、前記基地局は、前記直接リンクのための領域の前端に前記端末のための同期チャンネルを位置させる。例えば、前記フレームが図６または図７または図９のように構成される場合、前記基地局は、前記第１の領域の間に前記端末との通信を行なう。
【０１８５】
若しも、前記フレームのサブフレームが図１１または図１５のように構成される場合、前記基地局は、前記第１の領域、または第２の領域の間に前記端末との通信を行なう。また、前記フレームのサブフレームが図１３または図１６のように構成される場合、前記基地局は、前記第１の領域、または第３の領域の間に前記端末との通信を行なう。
【０１８６】
その後、前記基地局は、ステップ１７０５に進んで中継リンクのための領域の間に１ホップ中継局との通信を行なう。ここで、前記１ホップ中継局に同期的な同期チャンネルを提供するために前記中継リンクのための領域の後端に前記同期チャンネルを位置させる。
【０１８７】
例えば、前記フレームが図６または図７または図９のように構成される場合、前記基地局は、前記第２の領域の間に前記１ホップ中継局との通信を行なう。このとき、前記基地局は、前記第２の領域の後端に前記１ホップ中継局のための同期チャンネルを位置させる。
【０１８８】
若しも、前記フレームのサブフレームが図１１または図１５のように構成される場合、前記基地局は、前記第３の領域の間に前記１ホップ中継局との通信を行なう。このとき、前記基地局は、前記第３の領域の後端に前記１ホップ中継局のための同期チャンネルを位置させる。
【０１８９】
また、前記フレームのサブフレームが図１３または図１６のように構成される場合、前記基地局は、前記第２の領域の間に前記１ホップ中継局との通信を行なう。このとき、前記基地局は、前記第２の領域の後端に前記１ホップ中継局のための同期チャンネルを位置させる。
【０１９０】
その後、前記基地局は、本アルゴリズムを終了する。
【０１９１】
図１８は、本発明の実施形態に係るマルチホップリレー方式の広帯域無線接続通信システムにおける中継局１の動作手順を示している。
【０１９２】
図１８を参照すると、前記中継局１は、ステップ１８０１で基地局または上位の中継局から提供されたサブフレームの構成情報を確認する。すなわち、前記中継局１は、直接リンクのためのサブフレーム領域と中継リンクのためのサブフレーム領域の構成情報を確認する。例えば、前記フレームが図６または図７または図９のように構成される場合、前記中継局１は、前記第１の領域と第２の領域との構成情報を確認する。
【０１９３】
若しも、前記フレームのサブフレームが図１１または図１３または図１５または図１６のように構成される場合、前記中継局１は、前記第１の領域と第２の領域と第３の領域との各構成情報を確認する。
【０１９４】
前記サブフレームの構成情報を確認した後、前記中継局１は、ステップ１８０３に進んで直接リンクのための第１の領域の間にサービス領域に含まれる端末または中継局２との通信を行なう。このとき、前記中継局１は、前記第１の領域の前端に前記端末のための同期チャンネルを位置させる。
【０１９５】
次に、前記中継局１は、ステップ１８０５に進んで前記中継リンクのための領域を介して基地局またはマルチホップ中継局との通信を行なう。このとき、前記中継局は、下位の中継局との通信を行なうための領域の後端に前記下位の中継局のための同期チャンネルを位置させる。例えば、前記フレームが図６または図７または図９のように構成される場合、前記中継局１は、前記第２の領域の間に前記基地局との通信を行なう。
【０１９６】
若しも、前記フレームのサブフレームが図１１または図１５のように構成される場合、前記中継局１は、第２領域の間に下位の中継局との通信を行ない、第３の領域の間に基地局または上位の中継局との通信を行なう。このとき、前記中継局１は、前記第２の領域の後端に前記下位の中継局のための同期チャンネルを位置させる。
【０１９７】
また、前記フレームのサブフレームが図１３または図１６のように構成される場合、前記中継局１は、第３領域の間に下位の中継局との通信を行ない、第２の領域の間に基地局または上位の中継局との通信を行なう。このとき、前記中継局１は、前記第３の領域の後端に前記下位の中継局のための同期チャンネルを位置させる。
【０１９８】
その後、前記中継局１は、本アルゴリズムを終了する。
【０１９９】
図１９は、本発明の実施形態に係るマルチホップリレー方式の広帯域無線接続通信システムにおける中継局２の動作手順を示している。
【０２００】
図１９を参照すると、前記中継局２は、ステップ１９０１で前記基地局から提供された制御情報と前記中継局２の中継能力によって前記サブフレームの構成情報を確認する。例えば、フレームが図７または図９のように構成される場合、前記中継局２は、サブフレームの第１の領域と第２の領域、及び、前記第２の領域の前記中継局２と端末リンクの通信のための領域情報を確認する。
【０２０１】
前記サブフレーム構成情報を確認した後、前記中継局２は、ステップ１９０３に進んで前記第１の領域で前記基地局との通信を行なう。
【０２０２】
次に、前記中継局２は、ステップ１９０５に進んで前記第２の領域で前記中継局２を介して中継サービスを提供される端末との通信を行なう。
【０２０３】
例を挙げて説明すると、前記中継局２は、ダウンリンクにおいては、前記第１の領域で前記基地局から信号を受信し、前記第２の領域で端末に信号を伝送する。また、アップリンクにおいては、前記第１の領域で前記基地局に信号を伝送し、前記第２の領域で前記端末から信号を受信する。
【０２０４】
その後、前記中継局２は、本アルゴリズムを終了する。
【０２０５】
図２０は、本発明の実施形態に係るマルチホップリレー方式の広帯域無線接続通信システムにおける端末の動作手順を示している。
【０２０６】
図２０を参照すると、先ず、端末は、ステップ２００１において前記第１の領域で前記基地局または中継局１との通信を行なう。
【０２０７】
その後、前記端末は、ステップ２００３に進んで前記第２の領域で前記中継局２との通信を行なう。例えば、前記端末は、ダウンリンクにおいては、前記第１の領域で前記基地局または中継局１から信号を受信し、前記第２の領域で前記中継局２から信号を受信する。また、アップリンクにおいては、前記第１の領域で前記基地局または中継局１に信号を伝送し、前記第２の領域で前記中継局２に信号を伝送する。
【０２０８】
その後、前記端末は、本アルゴリズムを終了する。
【０２０９】
上述した実施形態は、時分割複信システムを、例えば前記単方向サブフレームを第１の領域と第２の領域に時間多重化して分けて構成する。他の実施形態として、周波数分割複信システムにおいて前記単方向サブフレームを第１の領域と第２の領域、または第３の領域に周波数分割多重化して分けて構成する。このとき、前記周波数分割複信システムの前記ダウンリンクサブフレームと前記アップリンクサブフレームは、互いに異なる周波数帯域を介して同時に送受信される。
【０２１０】
以下、前記広帯域無線接続通信システムにおいて中継サービスを提供するための基地局と中継局のブロック構成について説明する。ここで、前記基地局と中継局は、同一のブロック構成を有するため、図２１の基地局ブロックを利用して前記基地局と中継局のブロック構成を説明する。また、前記基地局と中継局は、１つの送受信装置を利用して信号を送受信することを例として説明する。
【０２１１】
図２１は、本発明に係るマルチホップリレー方式の広帯域無線接続通信システムにおける基地局のブロック構成を示している。
【０２１２】
先ず、図２１を参照して前記基地局の構成について説明する。
【０２１３】
前記基地局は、送信装置２１０１、受信装置２１０３、タイミングコントローラ２１０５及びＲＦスィッチ２１０７から構成される。
【０２１４】
前記送信装置２１０１は、フレーム生成器２１０９、資源マッピング器２１１１、変調器２１１３及びデジタル／アナログ変換器（Digital/Analog  Converter）２１１５から構成される。
【０２１５】
前記フレーム生成器２１０９は、前記タイミングコントローラ２１０５の制御によって、前記基地局のサービス領域に含まれる端末、下位の中継局に同期チャンネル、制御チャンネル及びトラフィックバーストを伝送するためのサブフレームを構成する。このとき、前記フレーム生成器２１０９は、前記端末に伝送するためのサブフレームの前端と前記下位の中継局に伝送するためのサブフレームの後端に同期チャンネルを位置させる。
【０２１６】
例えば、前記広帯域無線接続通信システムが２つのホップで構成される場合、前記フレーム生成器２１０９は、ダウンリンクサブフレームの第１の領域の間に前記端末または中継局２に伝送するためのサブフレームを構成する。また、前記フレーム生成器２１０９は、第２の領域の間に１ホップ中継局に伝送するためのサブフレームの前端と第２の領域の間に構成したサブフレームの後端に同期チャンネルを位置させる。
【０２１７】
若しも、前記広帯域無線接続通信システムが３つのホップ以上で構成される場合、前記フレーム生成器２１０９は、ダウンリンクサブフレームの第１の領域、または、第１の領域と第２の領域とにおいて、前記端末または中継局２に伝送するためのサブフレームを構成する。その後、前記フレーム生成器２１０９は、第３の領域の間に前記１ホップ中継局に伝送するためのサブフレームを構成する。
【０２１８】
このとき、前記フレーム生成器２１０９は、第１の領域の間に構成したサブフレームの前端と第３の領域の間に構成したサブフレームの後端に同期チャンネルを位置させる。
【０２１９】
前記資源マッピング器２１１１は、前記フレーム生成器２１０９から提供された各サブフレームを当該リンクのバーストに割り当てて出力する。
【０２２０】
前記変調器２１１３は、前記資源マッピング器２１１１から提供された各リンクのバーストに割り当てられたサブフレームを当該変調水準によって変調して出力する。
【０２２１】
前記デジタル／アナログ変換器２１１５は、前記変調器２１１３から提供された変調されたデジタル信号をアナログ信号に変換して前記ＲＦスィッチ２１０７に出力する。
【０２２２】
前記受信装置２１０３は、アナログ／デジタル変換器２１１７、復調器２１１９、資源デマッピング器２１２１、及びフレーム抽出器２１２３から構成される。
【０２２３】
前記アナログ／デジタル変換器２１１７は、前記ＲＦスィッチ２１０７を介して受信されたアナログ信号をデジタル信号に変換する。
【０２２４】
前記復調器２１１９は、前記アナログ／デジタル変換器２１１７から提供されたデジタル信号を当該復調方式により復調して出力する。
【０２２５】
前記資源デマッピング器２１２１は、前記復調器２１１９から提供された各リンクのバーストに割り当てられた実際のサブフレームを抽出する。
【０２２６】
前記フレーム抽出器２１２３は、前記資源デマッピング器２１２１から提供されるサブフレームから前記基地局に該当するサブフレームを抽出する。
【０２２７】
前記ＲＦスィッチ２１０７は、前記タイミングコントローラ２１０５の制御によって前記端末、中継局１、中継局２と送受信する信号を、前記送信機２１０１と受信機２１０３に連結する。
【０２２８】
前記タイミングコントローラ２１０５は、フレーム構成方式によって前記基地局が端末及び下位の中継局と通信するための送受信タイミングを制御する。
【０２２９】
次に、図２１を参照して前記中継局１の構成について説明する。
【０２３０】
前記中継局１は、送信装置２１０１、受信装置２１０３、タイミングコントローラ２１０５、及びＲＦスィッチ２１０７から構成される。
【０２３１】
前記送信装置２１０１は、フレーム生成器２１０９、資源マッピング器２１１１、変調器２１１３、及びデジタル／アナログ変換器２１１５から構成される。
【０２３２】
前記フレーム生成器２１０９は、前記タイミングコントローラ２１０５の制御によって前記中継局１のサービス領域に含まれる端末、下位の中継局に同期チャンネル、制御チャンネル及びトラフィックバーストを伝送するためのダウンリンクサブフレームを構成する。このとき、前記フレーム生成器２１０９は、前記端末に伝送するサブフレームの前端と前記下位の中継局に伝送するサブフレームの後端に同期チャンネルを位置させる。
【０２３３】
また、前記フレーム生成器２１０９は、基地局または上位の中継局と通信するためのアップリンクサブフレームを構成する。
【０２３４】
前記資源マッピング器２１１１は、前記フレーム生成器２１０９から提供された各サブフレームを当該リンクのバーストに割り当てて出力する。
【０２３５】
前記変調器２１１３は、前記資源マッピング器２１１１から提供された各リンクのバーストに割り当てられたサブフレームを当該変調方式によって変調する。
【０２３６】
前記デジタル／アナログ変換器２１１５は、前記変調器２１１３から提供された変調されたデジタル信号をアナログ信号に変換して前記ＲＦスィッチ２１０７に出力する。
【０２３７】
前記受信装置２１０３は、アナログ／デジタル変換器２１１７、復調器２１１９、資源デマッピング器２１２１、及びフレーム抽出器２１２３から構成される。
【０２３８】
前記アナログ／デジタル変換器２１１７は、前記RFスィッチ２１０７を介して受信されたアナログ信号をデジタル信号に変換する。
【０２３９】
前記復調器２１１９は、前記アナログ／デジタル変換器２１１７から提供されたデジタル信号を当該復調方式によって復調して出力する。
【０２４０】
前記資源デマッピング器２１２１は、前記復調器２１１９から提供された各リンクのバーストに割り当てられた実際のサブフレームを抽出する。
【０２４１】
前記フレーム抽出器２１２３は、前記資源デマッピング器２１２１から提供されるサブフレームから前記基地局に該当するサブフレームを抽出する。
【０２４２】
前記ＲＦスィッチ２１０７は、前記タイミングコントローラ２１０５の制御によって前記基地局、端末、下位の中継局及び上位の中継局と送受信する信号を前記送信機２１０１と受信機２１０３に連結する。
【０２４３】
前記タイミングコントローラ２１０５は、フレーム構成方式によって前記中継局１が基地局、端末、下位の中継局及び上位の中継局と通信するための送受信タイミングを制御する。
【０２４４】
最後に、図２1を用いて前記中継局２の構成について説明する。
【０２４５】
前記中継局２は、送信装置２１０１、受信装置２１０３、タイミングコントローラ２１０５及びＲＦスィッチ２１０７から構成される。
【０２４６】
前記送信装置２１０１は、フレーム生成器２１０９、資源マッピング器２１１１、変調器２１１３、及びデジタル／アナログ変換器２１１５から構成される。
【０２４７】
前記フレーム生成器２１０９は、前記タイミングコントローラ２１０５の制御によって中継リンクで連結された端末に伝送するためのサブフレームと、前記基地局に伝送するサブフレームとを構成する。例えば、前記フレーム生成器２１０９は、前記ダウンリンクサブフレームの第２の領域の間に前記端末に伝送するためのサブフレームを構成し、前記アップリンクサブフレームの第１の領域では、前記基地局に伝送するためのサブフレームを構成する。
【０２４８】
前記資源マッピング器２１１１は、前記フレーム生成器２１０９から提供された各サブフレームを当該リンクのバーストに割り当てて出力する。
【０２４９】
前記変調器２１１３は、前記資源マッピング器２１１１から提供された各リンクのバーストに割り当てられたサブフレームを当該変調方式によって変調する。
【０２５０】
前記デジタル／アナログ変換器２１１５は、前記変調器２１１３から提供された変調されたデジタル信号をアナログ信号に変換して前記ＲＦスィッチ２１０７に出力する。
【０２５１】
前記受信装置２１０３は、アナログ／デジタル変換器２１１７、復調器２１１９、資源デマッピング器２１２１、及びフレーム抽出器２１２３から構成される。
【０２５２】
前記アナログ／デジタル変換器２１１７は、前記ＲＦスィッチ２１０７を介して受信されたアナログ信号をデジタル信号に変換する。
【０２５３】
前記復調器２１１９は、前記アナログ／デジタル変換器２１１７から提供されたデジタル信号を当該復調方式によって復調して出力する。
【０２５４】
前記資源デマッピング器２１２１は、前記復調器２１１９から提供された各リンクのバーストに割り当てられた実際のサブフレームを抽出する。
【０２５５】
前記フレーム抽出器２１２３は、前記資源デマッピング器２１２１から提供されるサブフレームから前記基地局に該当するサブフレームを抽出する。
【０２５６】
前記ＲＦスィッチ２１０７は、前記タイミングコントローラ２１０５の制御によって前記端末、及び基地局と送受信する信号を前記送信機２１０１と受信機２１０３に連結する。
【０２５７】
前記タイミングコントローラ２１０５は、前記基地局と通信する第１の領域と前記端末と通信する第２の領域の送受信タイミングを制御する。
【０２５８】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０２５９】
【図１】一般の広帯域無線接続通信システムにおいてマルチホップリレー方式を用いてサービスを提供する構造を示す図。
【図２】一般のＩＥＥＥ８０２．１６システムのためのフレーム構造を示す図。
【図３】従来の技術によるマルチホップリレー方式の広帯域無線接続通信システムのフレーム構造を示す図。
【図４】従来の技術によるマルチホップリレー方式の広帯域無線接続通信システムにおける中継局の移動を示す図。
【図５】従来の技術によるマルチホップリレー方式の広帯域無線接続通信システムにおける中継局２で中継サービスを提供する信号の流れを示す図。
【図６】本発明の実施形態に係るマルチホップリレー方式の広帯域無線接続通信システムにおける端末または中継局に同期化された同期チャンネルを提供するためのフレーム構造を示す図。
【図７】本発明の第１の実施形態に係るマルチホップリレー方式の広帯域無線接続通信システムのフレーム構造を示す図。
【図８】本発明の実施形態に係るマルチホップリレー方式の広帯域無線接続通信システムにおけるフレーム構造による信号の送受信タイミングを示す図。
【図９】本発明の第２の実施形態に係るマルチホップリレー方式の広帯域無線接続通信システムのフレーム構造を示す図。
【図１０】本発明によるマルチホップリレー方式の広帯域無線接続通信システムの構成を示す図。
【図１１】本発明の実施形態に係るマルチホップリレー方式の広帯域無線接続通信システムのダウンリンクサブフレーム構造を示す図。
【図１２】本発明の実施形態に係るマルチホップリレー方式の広帯域無線接続通信システムのダウンリンクサブフレームの同期チャンネルを示す図。
【図１３】本発明の他の実施形態に係るマルチホップリレー方式の広帯域無線接続通信システムのダウンリンクサブフレーム構造を示す図。
【図１４】本発明の他の実施形態に係るマルチホップリレー方式の広帯域無線接続通信システムのダウンリンクサブフレームの同期チャンネルを示す図。
【図１５】本発明の実施形態に係るマルチホップリレー方式の広帯域無線接続通信システムのアップリンクサブフレーム構造を示す図。
【図１６】本発明の他の実施形態に係るマルチホップリレー方式の広帯域無線接続通信システムのアップリンクサブフレームの同期チャンネルを示す図。
【図１７】本発明の実施形態に係るマルチホップリレー方式の広帯域無線接続通信システムにおける基地局の動作手順を示す図。
【図１８】本発明の実施形態に係るマルチホップリレー方式の広帯域無線接続通信システムにおける中継局１の動作手順を示す図。
【図１９】本発明の実施形態に係るマルチホップリレー方式の広帯域無線接続通信システムにおける中継局２の動作手順を示す図。
【図２０】本発明の実施形態に係るマルチホップリレー方式の広帯域無線接続通信システムにおける端末の動作手順を示す図。
【図２１】本発明に係るマルチホップリレー方式の広帯域無線接続通信システムにおける基地局のブロック構成を示す図。
【図１】
2009533943.tif 000003
【図２】
2009533943.tif 000004
【図３】
2009533943.tif 000005
【図４】
2009533943.tif 000006
【図５】
2009533943.tif 000007
【図６】
2009533943.tif 000008
【図７】
2009533943.tif 000009
【図８】
2009533943.tif 000010
【図９】
2009533943.tif 000011
【図１０】
2009533943.tif 000012
【図１１】
2009533943.tif 000013
【図１２】
2009533943.tif 000014
【図１３】
2009533943.tif 000015
【図１４】
2009533943.tif 000016
【図１５】
2009533943.tif 000017
【図１６】
2009533943.tif 000018
【図１７】
2009533943.tif 000019
【図１８】
2009533943.tif 000020
【図１９】
2009533943.tif 000021
【図２０】
2009533943.tif 000022
【図２１】
2009533943.tif 000023
【国際調査報告】
2009533943.tif 000024
2009533943.tif 000025